(57)【特許請求の範囲】
【請求項１】
Ｃ型チャンネル状をなす壁パネルの支持材にはめ込まれて、接合端部にパネル背面側に向けて突き出す屈曲板部を有する壁パネル同士を、屈曲板部の外面を突き合わせた状態で接合させ合わせるファスナーであって、
プラスチックの押し出し成形によって構成されていると共に、背部とこの背部から前方に突き出す両翼部とを有しており、
支持材の開放部より背部を先にして両翼部を弾性変形させながらこの支持材にはめ込まれた後、両翼部間に前方より壁パネルの屈曲板部を受け入れるように構成されており、
しかも、背部に軟質部を備えていることを特徴とする壁パネルの接合用ファスナー。
【請求項２】
両翼部間に、合掌状に向き合った一対の、壁パネルの接合端部の挟持片部を有しており、
この一対の挟持片部がそれぞれ、この挟持片部と翼部の内面との間に間隔を形成させるようにして、挟持片部の前端側と翼部の前端側とに亘る連接片によって、翼部に連接されていることを特徴とする請求項１に記載の壁パネルの接合用ファスナー。
【請求項３】
挟持片部における壁パネルの接合端部の内面に接する箇所が軟質材によって構成されていることを特徴とする請求項２に記載の壁パネルの接合用ファスナー。
【請求項４】
連接片が挟持片部の前端側に向かうに連れて次第に翼部の内面から離れるように傾斜していることを特徴とする請求項２又は請求項３に記載の壁パネルの接合用ファスナー。
【請求項５】
挟持片部の後端より奥において、翼部からファスナーの内方に向けて突き出す軟質材よりなるリップが設けられていることを特徴とする請求項２〜請求項４のいずれか１項に記載の壁パネルの接合用ファスナー。
【請求項６】
Ｃ型チャンネル状をなす壁パネルの支持材の開放部より背部を先にして両翼部を弾性変形させながらこの支持材にはめ込まれた請求項１〜請求項５記載のファスナーの両翼部間に、
接合端部にパネル背面側に向けて突き出す屈曲板部を有する壁パネルのこの屈曲板部を前方より受け入れさせて、
隣り合う壁パネル同士を、屈曲板部の外面を突き合わせた状態で接合させ合わせるようにしていることを特徴とする壁パネルの接合構造。
【発明の詳細な説明】
【技術分野】
【０００１】
この発明は、建物に用いられる壁パネルを接続させ合うために用いられるファスナー、および、かかるファスナーによって隣り合う壁パネル同士を接合されてなる接合構造の改良に関する。
【背景技術】
【０００２】
接合端部３０１にパネル背面側に向けて突き出す屈曲板部３０２を有する壁パネル３００同士をこの屈曲板部３０２の外面を突き合わせた状態で接合させ合わせると共に、この壁パネル３００をこの接合箇所においてＣ型チャンネル状をなす壁パネル３００の支持材２００に対して支持させるために用いられるファスナーＦとして、図７に示されるものがあった。
【０００３】
かかるファスナーＦは、プラスチックの押し出し成形により構成され、必要な長さ、つまり、壁パネル３００の高さに合わせて切断して使用される。かかるファスナーＦは、背部１００と、この背部１００から前方に突き出す一対の翼部１０１、１０１とを有している。そして、かかるファスナーＦは、このファスナーＦを支持材２００の開放部２０１から支持材２００内にはめ込ませた後、このようにはめ込ませたファスナーＦの一対の翼部１０１、１０１間に前方より隣り合う壁パネル３００の屈曲板部３０２を入れ込ませることにより、隣り合う壁パネル３００同士の接合と支持材２００への取り付け支持をなすようになっている。ファスナーＦの内側には、シール用のリップ１０２が前後にそれぞれ設けられていると共に、前後のリップ１０２間に翼部１０１の内面から突き出す弾性掛合爪１０３が設けられている。ファスナーＦの一対の翼部１０１、１０１間に前方から屈曲板部３０２を押し込むとこの弾性掛合爪１０３が撓んでこの押し込みが許容される。そして、かかる屈曲板部３０２の後端の先でさらに折り返されて前端を屈曲板部３０２の基部側に向けた折り返し板部３０３のこの前端が弾性掛合爪１０３より奥に入り込んだ押し込み位置での、この弾性掛合爪１０３の弾性復帰によって弾性掛合爪１０３が折り返し板部３０３の前端に掛合し、これによりかかるファスナーＦ内からの屈曲板部３０２の抜け出しが阻止されるようになっている。
【０００４】
しかるに、かかるファスナーＦにあっては、支持材２００にファスナーＦをはめ込む際に一対の翼部１０１、１０１をこの一対の翼部１０１、１０１の外面間の寸法を狭める向きに弾性変形させる必要があるがこれには所用の押し込み力を要し、また、ファスナーＦ内への屈曲板部３０２の押し込みにも弾性掛合爪１０３を弾性変形させるための所用の押し込み力を有する。従来は一般にかかる押し込みを当て木を用いたハンマーなどによる打撃によって行っていた。こうしたことから、支持材２００への壁パネル３００の取り付け支持作業を一層容易にする観点から、これらの押し込み操作をよりスムースになせるようにすることが望まれていた。
【発明の開示】
【発明が解決しようとする課題】
【０００５】
この発明が解決しようとする主たる問題点は、この種のファスナーおよびこれを用いた接合構造において、壁下地材などに取り付け支持されている支持材に対しファスナーをはめ込む操作、および、はめ込まれたファスナーに壁パネルの屈曲板部を受け入れさせる操作のどちらをも、スムースかつ適切になせるようにする点にある。
【課題を解決するための手段】
【０００６】
前記課題を達成するために、この発明にあっては、壁パネルの接合用ファスナーを、以下の（１）〜（４）の構成を備えたものとした。
（１）Ｃ型チャンネル状をなす壁パネルの支持材にはめ込まれて、接合端部にパネル背面側に向けて突き出す屈曲板部を有する壁パネル同士を、屈曲板部の外面を突き合わせた状態で接合させ合わせるファスナーであって、
（２）プラスチックの押し出し成形によって構成されていると共に、背部とこの背部から前方に突き出す両翼部とを有しており、
（３）支持材の開放部より背部を先にして両翼部を弾性変形させながらこの支持材にはめ込まれた後、両翼部間に前方より壁パネルの屈曲板部を受け入れるように構成されており、
（４）しかも、背部に軟質部を備えている。
【０００７】
かかる構成によれば、支持材の開放部からこの支持材内に、一対の翼部を互いに近接させる向きに軟質部を中心に弾性変形させながらファスナーをはめ込み易く、支持材に対するファスナーの取り付け作業性を向上させることができる。そして、このように支持材にはめ込んだ後、両翼部間に前方より壁パネルの屈曲板部を受け入れさせることにより、隣り合う壁パネル同士をファスナーを介して接合させ合わせ、かつ、この接合箇所において支持材に支持させることができる。
【０００８】
前記両翼部間に、合掌状に向き合った一対の、壁パネルの接合端部の挟持片部を有しており、
この一対の挟持片部がそれぞれ、この挟持片部と翼部の内面との間に間隔を形成させるようにして、挟持片部の前端側と翼部の前端側とに亘る連接片によって、翼部に連接されているようにしておくこともある。
【０００９】
このようにした場合、支持材にはめ込んだファスナーの一対の挟持片部間に、隣り合う壁パネルの接合端部を構成する屈曲板部を入れ込む操作したときに、連接片のストロークによって挟持片部を一対の挟持片部間の間隔を広げる向きにスムースに弾性変形させることができ、壁パネルの屈曲板部をファスナー内に容易に受け入れ、かつ、これを適切に保持できる。すなわち、ハンマーなどを用いた打撃などをせずに手作業によってファスナーに壁パネルの接合端部を受け入れ保持させるようにできる。
【００１０】
前記挟持片部における壁パネルの接合端部の内面に接する箇所を軟質材によって構成させておくこともある。また、前記挟持片部の後端より奥において、翼部からファスナーの内方に向けて突き出す軟質材よりなるリップを設けさせておくこともある。
【００１１】
このようにした場合、壁パネルの接合端部に対するファスナーの保持力を強めることができると共に、屈曲板部の外面を突き合わせた状態でファスナーによって接合させ合わされた壁パネルの屈曲板部間からの水の進入を阻止する構造を、ファスナーに容易かつ適切に備えさせることができる。
【００１２】
前記連接片を挟持片部の前端側に向かうに連れて次第に翼部の内面から離れる傾斜を持つように構成させておくこともある。
【００１３】
このようにした場合、一対の挟持片部間に壁パネルの接合端部を構成する屈曲板部を容易かつ確実に導入させることができる。
【００１４】
また、前記課題を解決するために、この発明にあっては壁パネルの接合構造を、  Ｃ型チャンネル状をなす壁パネルの支持材の開放部より背部を先にして両翼部を弾性変形させながらこの支持材にはめ込まれた前記ファスナーの両翼部間に、
接合端部にパネル背面側に向けて突き出す屈曲板部を有する壁パネルのこの屈曲板部を前方より受け入れさせて、
隣り合う壁パネル同士を、屈曲板部の外面を突き合わせた状態で接合させ合わせたものとした。
【００１５】
かかる接合構造にあっては、前記ファスナーの構造上の特徴によって、支持材へのファスナーの取り付け作業性が良く、かつ、ファスナーの取り付けられた支持材に対する壁パネルの取り付け作業性が良く、しかも、これらの取り付けを適切になすことができる。
【発明の効果】
【００１６】
この発明にかかるファスナーおよび接合構造によれば、壁下地材などに取り付け支持されている支持材に対しファスナーをはめ込む操作、および、はめ込まれたファスナーに壁パネルの屈曲板部を受け入れさせる操作のどちらをも、スムースかつ適切になすことができる。
【発明を実施するための最良の形態】
【００１７】
以下、図１ないし図６に基づいて、この発明を実施するための最良の形態について説明する。
【００１８】
なお、ここで図１、図５および図６は、実施の形態にかかるファスナーＦをそれぞれ示しており、また、図２は、支持材にファスナーＦをはめ込んだ様子を、図３および図４は、図２の状態からファスナーＦに隣り合う壁パネル３００の接合端部３０１をそれぞれ前方から受け入れ保持させた状態を、（すなわち、接合構造Ｊ）それぞれ示している。
【００１９】
この実施の形態にかかるファスナーＦは、建物に用いられる壁パネル３００を接続させ合うために用いられるものである。また、かかるファスナーＦは、隣り合う壁パネル３００の接合端部３０１間のドライシールともなるものである。かかるファスナーＦは、典型的には、ユニットバスを構成する壁パネル３００同士の接続などに用いるのに適している。
【００２０】
また、この実施の形態にかかる接合構造Ｊは、かかるファスナーＦによって隣り合う壁パネル３００同士を接合されてなるものである。
【００２１】
かかるファスナーＦは、Ｃ型チャンネル状をなす壁パネル３００の支持材２００にはめ込まれて、接合端部３０１にパネル背面側３０４に向けて突き出す屈曲板部３０２を有する壁パネル３００同士を、屈曲板部３０２の外面３０２ａを突き合わせた状態で接合させ合わせるものである。
【００２２】
支持材２００は、水平断面をどの位置でも略一様とした長尺物であり、壁下地材４００などに対して、チャンネル開放部２０１側を前方に向けた状態で起立状態に取り付け支持される。
【００２３】
図示の例では、かかる支持材２００は、背板２０２と、この背板２０２の両側からそれぞれ前方に一体に突き出す両側板２０３、２０３と、この両側板２０３、２０３の前端からそれぞれ他方の側板２０３の側に向けて背板２０２と略平行をなすように一体に突き出す前板２０４と、この前板２０４の先端から後方に向けて側板２０３と略平行をなすように一体に突き出す戻り部２０５とを有している。戻り部２０５の先端と背板２０２の内面との間、および、戻り部２０５と側板２０３との間には、間隔が形成されている。そして、かかる一対の戻り部２０５の間が前記チャンネル開放部２０１として機能するようになっている。図示の例では、かかる支持材２００は、背板２０２側において補強フレーム５００を介して壁下地材４００などへの取り付けフレーム６００に接続されて前記起立状態に支持されるようになっている。（図４）
【００２４】
また、図示の例では、壁パネル３００は、石膏ボードなどのパネル主体３０５の表面を鋼板などの化粧材３０６で覆うようにこのパネル主体３０５に化粧材３０６を接着などして構成されている。図示の例では、パネル主体３０５の上下方向にある端面から側方に化粧材３０６の端部が突き出されるようになっていると共に、このように突き出された端部が第一折り曲げ部３０１ａにおいて略９０度後方に折り曲げられて前記屈曲板部３０２を形成させている。図示の例では、化粧材３０６の端部はさらに、屈曲板部３０２の後端３０２ｂを第二折り曲げ部３０１ｂとして、屈曲板部３０２の内面３０２ｃ側に略１８０度折り返されて、屈曲板部３０２の内面３０２ｃ側に折り返し板部３０３を形成させている。この折り返し板部３０３の前端３０３ａと屈曲板部３０２の基部との間には間隔が形成されている。
【００２５】
一方、ファスナーＦは、プラスチックの押し出し成形によって構成されており、水平方向の断面形状をどの位置でも略一様とするように構成されている。
【００２６】
かかるファスナーＦは、背部１とこの背部１から前方に突き出す両翼部２、２とを有しており、支持材２００の開放部２０１より背部１を先にして両翼部２、２を弾性変形させながらこの支持材２００にはめ込まれた後、両翼部２、２間に前方より壁パネル３００の屈曲板部３０２を受け入れるように構成されている。
【００２７】
図示の例では、背部１の上下方向に沿った両側縁よりそれぞれ前方に向けて翼部２が突き出している。一対の翼部２、２の前端２ａにはそれぞれ、この翼部２の外面に直交する向きに外側に突き出すフランジ２ｂが形成されている。また、一対の翼部２、２の外面にはそれぞれ、かかるフランジ２ｂに掛合面２ｄを向けた抜け止め凸部２ｃが形成されている。左右の抜け止め凸部２ｃの頂部２ｅ間の間隔は前記開放部２０１の幅よりもやや大きくなっている。また、抜け止め凸部２ｃとフランジ２ｂとの間の一対の翼部２、２の外面間の間隔は前記開放部２０１の幅と略等しくなっている。また、抜け止め凸部２ｃの頂部２ｅと背部１との間に亘る翼部２の外面は、この抜け止め凸部２ｃの頂部２ｅに向かうに連れて次第に外向きに張り出すように傾斜している。
【００２８】
そして、この実施の形態にかかるファスナーＦは、前記背部１に軟質部３又は薄肉部を備えている。図示の例では、かかる背部１の左右方向略中程の位置に軟質部３が形成されており、この軟質部３によって左側の背部１の一部および翼部２と、右側の背部１の一部および翼部２とが、この軟質部３を中心に一対の翼部２、２の前端２ａ間を狭める向きの弾性変形を可能とした状態で、（つまり軟質部３をヒンジ部とするようにして）つなぎ合わされた様になっている。かかる軟質部３は、この軟質部３を構成する軟質の樹脂材料を、ファスナーＦにおけるこれよりも硬質の部分を構成する樹脂材料と一緒に押し出すことにより、ファスナーＦの他部と一体不可分に備えさせられている。（いわゆる二色押し出し）後述する挟持片部４の軟質材４ｂ、および、リップ７も同様の二色押し出しによってファスナーＦの前記他部に一体不可分に備えさせられている。
【００２９】
これにより、この実施の形態にかかるファスナーＦにあっては、支持材２００の開放部２０１からこの支持材２００内に、一対の翼部２、２を互いに近接させる向きに軟質部３を中心に弾性変形させながらはめ込み易く、支持材２００に対するファスナーＦの取り付け作業性を向上させることができる。そして、このように支持材２００にはめ込んだ後、両翼部２、２間に前方より壁パネル３００の屈曲板部３０２を受け入れさせることにより、隣り合う壁パネル３００同士をファスナーＦを介して接合させ合わせ、かつ、この接合箇所において支持材２００に支持させることができる。
【００３０】
図示の例では、ファスナーＦをその背部１を先にして支持材２００の開放部２０１から支持材２００内に押し込み操作すると、先ず翼部２の傾斜箇所２ｆが支持材２００の前板２０４と戻り部２０５との間の外隅部に押し当てられて翼部２は徐々に内向きに窄められ、支持材２００内へのファスナーＦの背部１側からの入り込みが許容される。この後、ファスナーＦのフランジ２ｂが支持材２００の前板２０４に突き当てられる位置までファスナーＦが支持材２００に入れ込みきられると、翼部２の抜け止め凸部２ｃの頂部２ｅが戻り部２０５の後端より奥に位置され、翼部２は弾性復帰してその外面を戻り部２０５の外面に密着させるに至り、これによりファスナーＦは支持材２００にはめ込まれる。このように一度支持材２００にはめ込まれたファスナーＦは抜け止め凸部２ｃの作用によって支持材２００から外れ出すことはない。
【００３１】
また、この実施の形態にかかるファスナーＦにあっては、その両翼部２、２間に、合掌状に向き合った一対の、壁パネル３００の接合端部３０１の挟持片部４を有している。それと共に、この一対の挟持片部４、４がそれぞれ、この挟持片部４と翼部２の内面との間に間隔を形成させるようにして、挟持片部４の前端側と翼部２の前端側とに亘る連接片５によって、翼部２に連接されている。
【００３２】
図示の例では、連接片５は、挟持片部４の前端側に向かうに連れて次第に翼部２の内面から離れるように傾斜状に設けられている。一方、挟持片部４は連接片５との連接箇所からその後端４ａに向かうに連れて次第に翼部２の内面に近づく向きに傾斜しており、挟持片部４と連接片５との連接箇所にはエッジ部６が形成されている。そして、図示の例では、左右のかかるエッジ部６間の間隔が、壁パネル３００の屈曲板部３０２の厚さの二倍と略等しいか、これよりもやや小さくなるようにしてある。
【００３３】
これにより、この実施の形態にあっては、支持材２００にはめ込んだファスナーＦの一対の挟持片部４、４間に、隣り合う壁パネル３００の接合端部３０１を構成する屈曲板部３０２を入れ込む操作したときに、連接片５のストロークによって挟持片部４を一対の挟持片部４、４間の間隔を広げる向きにスムースに弾性変形させることができ、壁パネル３００の屈曲板部３０２をファスナーＦ内に容易に受け入れ、かつ、これを適切に保持できる。
【００３４】
また、この実施の形態にあっては、連接片５が前記の向きの傾斜を有していることから、一対の挟持片部４、４間に壁パネル３００の接合端部３０１を構成する屈曲板部３０２を容易かつ確実に導入させることができる。
【００３５】
図示の例では、ファスナーＦの一対の挟持片部４、４間に、隣り合う壁パネル３００の屈曲板部３０２を互いの外面３０２ａを突き合わせた状態で入れ込みきると、左側の翼部２の挟持片部４と連接片５との間のエッジ部６が左側の折り返し板部３０３の前端３０３ａに前方から引っかかり、かつ、右側の翼部２の挟持片部４と連接片５との間のエッジ部６が右側の折り返し板部３０３の前端３０３ａに前方から引っかかり、ファスナーＦ内からの両屈曲板部３０２の抜け出しが阻止されるようになっている。
【００３６】
また、この実施の形態にあっては、ファスナーＦの挟持片部４における壁パネル３００の接合端部３０１の内面に接する箇所が軟質材４ｂによって構成されている。
【００３７】
図示の例にあっては、挟持片部４における他方の挟持片部４に向き合った面全体が軟質材４ｂによって覆われている。
【００３８】
また、この実施の形態にあっては、かかる挟持片部４の後端より奥において、左右の翼部２においてそれぞれ、この翼部２からファスナーＦの内方に向けて突き出す軟質材よりなるリップ７が設けられている。図示の例では、左右一対のリップ７の先端間の間隔は、二枚の屈曲板部３０２、３０２の厚さと二枚の折り返し板部３０３、３０３の厚さとを足した寸法と略同じかこれよりやや小さくなるようにしてある。また、リップ７は屈曲板部３０２の後端３０２ｂ側において折り返し板部３０３に先端を接しさせると共に、リップ７と背部１内面との間には水切り空隙Ｓが形成されるようになっている。
【００３９】
これにより、この実施の形態にかかるファスナーＦにあっては、壁パネル３００の接合端部３０１に対するファスナーＦの保持力を強めることができると共に、屈曲板部３０２の外面３０２ａを突き合わせた状態でファスナーＦによって接合させ合わされた壁パネル３００の屈曲板部３０２間からの水の進入を、リップ７および挟持片部４の軟質材４ｂを接合端部３０１に接しさせることにより二カ所で阻止する構造を、ファスナーＦに容易かつ適切に備えさせることができる。
【図面の簡単な説明】
【００４０】
【図１】ファスナーＦの斜視構成図
【図２】同使用状態を示す斜視図
【図３】同使用状態を示す斜視図
【図４】同使用状態を示す断面構成図
【図５】同断面図
【図６】同側面図
【図７】従来例を示した断面構成図
【符号の説明】
【００４１】
Ｆ  ファスナー
Ｊ  接合構造
１  背部
２  翼部
３  軟質部
２００  支持材
２０１  開放部
３００  壁パネル
３０１  接合端部
３０２  屈曲板部
３０２ａ  外面
【図１】
0004484788.tif 000002
【図２】
0004484788.tif 000003
【図３】
0004484788.tif 000004
【図４】
0004484788.tif 000005
【図５】
0004484788.tif 000006
【図６】
0004484788.tif 000007
【図７】
0004484788.tif 000008